(57)【要約】ニットウェアの袖と身頃を接合しつつ、脇下から肩に向かって筒状体の径を減少させてアームホールを形成する過程において脇下部にマチを形成する方法が以下の工程：ａ）  身頃：袖の編成コース数の比を２：１、または身頃：袖の編成コース数の比を２：１より身頃の編成比率を高くして編成するとともに、身頃の編幅をアームホール下端から肩部に向かって徐々に狭め、身頃の側端のループと袖の側端ループを重ねて接合する工程と、ｂ）  前記工程ａに続けて、身頃：袖の編成コース数の比を１：１または身頃：袖の編成コース数の比を１：１より袖の編成比率を高く編成してマチが形成され着心地に優れたニットウェアを編成する。
2003031707.tif 000002
【特許請求の範囲】
【請求項１】
左右方向に延び、かつ前後方向に対向する前後一対の針ベッドを有し、前記一対の針ベッドはそれぞれ多数の針を持ち、さらに前記一対の針ベッドは対向部に歯口を形成し、かつ前記針ベッドの少なくとも一方が左右にラッキング可能で、前記針ベッド間で編目の目移しが可能な横編機を用いて編成される身頃と袖とが接合されたニットウエアにマチを形成する方法であって、
左右の袖と身頃を並置した状態で袖の袖口部および身頃の裾から脇下までをそれぞれ筒状に編成する工程に続いて、前記袖と身頃とを接続した一つの大きな筒状体を描くように袖と身頃の編目を係止する針に周回状に給糸して編目コースを形成しながら袖と身頃を接合しつつ、脇下から肩に向かって筒状体の径を減少させてアームホールを形成する過程において脇下部にマチを形成する方法が以下の工程：
ａ）  身頃：袖の編成コース数の比を２：１、または身頃：袖の編成コース数の比を２：１より身頃の編成比率を高くして編成するとともに、身頃の編幅をアームホール下端から肩部に向かって徐々に狭め、身頃の側端のループと袖の側端ループを重ねて接合する工程と、
ｂ）  前記工程ａに続けて、身頃：袖の編成コース数の比を１：１または身頃：袖の編成コース数の比を１：１より袖の編成比率を高く編成する工程
を含むことを特徴とするマチの形成方法。
【請求項２】
左右方向に延び、かつ前後方向に対向する前後一対の針ベッドを有し、前記一対の針ベッドはそれぞれ多数の針を持ち、さらに前記一対の針ベッドは対向部に歯口を形成し、かつ前記針ベッドの少なくとも一方が左右にラッキング可能で、前記針ベッド間で編目の目移しが可能な横編機を用いて編成される身頃と袖とが接合されたニットウエアにマチを形成する方法であって、
左右の袖と身頃を並置した状態で袖の袖口部および身頃の裾から脇下までをそれぞれ筒状に編成する工程に続いて、前記袖と身頃とを接続した一つの大きな筒状体を描くように袖と身頃の編目を係止する針に周回状に給糸して編目コースを形成しながら袖と身頃を接合しつつ、脇下から肩に向かって筒状体の径を減少させてアームホールを形成する過程において脇下部にマチを形成する方法が以下の工程：
ａ）  脇下近傍部において、身頃部の編幅を徐々に狭めるとともに、身頃：袖の編成コース数の比を２：１、または身頃：袖の編成コース数の比を２：１より身頃の編成比率を高く編成しつつ袖を身頃側に移動させて接合しマチを形成する工程、
ｂ）  前記工程ａに続いて身頃：袖の編成コース数を１：１の編成比率で形成する編成と並行して、袖の両端部に位置する適宜数のループを内側に移動させ隣接するループと重ねて重ね目とし、該重ね目を含め次コースのループを形成する編成を繰り返す工程、
を含むことを特徴とするマチの形成方法。
【請求項３】
それぞれが筒状に編成される身頃と袖とがアームホールで接合されてなるニットウエアであって、アームホール下部の脇下部において、身頃：袖の編成コース数の比が２：１、または身頃：袖の編成コース数の比が２：１より身頃の編成比率が高く編成されるとともに、身頃の編幅がアームホール下端から肩部側に向かって徐々に編幅が減少され、身頃の側端のループと袖の側端ループが重ねられて接合されてなる領域と、脇下部に続けて形成され、身頃：袖の編成コース数の比が１：１または身頃：袖の編成コース数の比が１：１より袖の編成比率が高く編成されてなる領域がアームホール内に形成されていることを特徴とするマチが形成されてなるニットウエア。
【請求項４】
それぞれが筒状に編成される身頃と袖とがアームホールで接合されてなるニットウエアであって、アームホール下部の脇下部において、身頃：袖の編成コース数の比が２：１、または身頃：袖の編成コース数の比が２：１より身頃の編成比率が高く編成されるとともに、身頃の編幅がアームホール下端から肩部側に向かって徐々に編幅が減少され、身頃の側端のループと袖の側端ループが重ねられて接合されてなる領域と、脇下部に続けて形成され、身頃：袖の編成コース数の比を１：１の編成比率で形成されるとともに、袖の両端部に位置する適宜数のループを内側に移動されて隣接するループと重ねられ、該重ね目を含め次コースのループが形成される工程が繰り返されてなる領域がアームホール内に形成されていることを特徴とするマチが形成されてなるニットウエア。
【発明の詳細な説明】
技術分野
本発明は、横編機を使用して編成されるセーター等のニットウエアの身頃と袖の接合部にマチを形成する方法およびマチが形成されてなるニットウエアに関する。
背景技術
横編機上で編成される編地同士を編成工程の間に接合することで後の縫製工程を省略ないし簡略化することができる。この方法をセーター等のニットウエアの編成に応用することで横編機を用いてニットウエアを筒状に且つシームレスに編成することができる。
出願人は編地を筒状に編成する方法を日本特許公告平３−７５６５６号で提案した。これは前後に針ベッドを対向配置させた所謂二枚ベッド横編機によるもので、針ベッドの奇数番目の針を例えば前側編地編成用とし、偶数番目の針を後側編地用として、前後針ベッドのそれぞれ１本置きの針を使用して各編地を編成するものである。これにより各編地は対向する針ベッド上に目移し用の空針を常に確保でき、その結果リンクス、ガーター、リブ等の表目・裏目が混在した編組織を筒状に編成することができるとともに、袖を横方向に移動させて身頃に接合できる。
前後に更に一対の針ベッドを付加した四枚ベッド横編機を使用する場合には、袖や身頃の前側の編地部分を下部前針ベッドと上部後針ベッドの針で編成し、同様に後側編地を下部後針ベッドと上部前針ベッドの針を使用して編成すればよく、この場合には二枚ベッドの様に前側編地を奇数番目の針に、後側編地を偶数番目の針に割り当てる必要はない。
第９図はニットウエアとしてセットインスリーブのセーター１０１を示し、第１０図は身頃１０５と袖１０３のパターンを示す。袖付け角度Θは袖山１０９の高さｈで決まり、Ｔスリーブでは袖山がなく角度Θは９０度となる。セットインの場合では袖山高さが高くなるに応じて袖付け角度Θが小さくなり袖は下に下がる。第１１−Ａ図はセットインのセーター１０１を横編機によりシームレスに編成する場合の工程を示したもので、第１１−Ｂ図は第１１−Ａ図の各ステージＲ１〜Ｒ５における編成を模式的に示す。
セーター１０１は身頃１０５、右袖１０３ｒと左袖１０３ｌの裾部分１０７ｒ，１０７ｌから筒状に編成を開始し（ステージＲ１）、脇下まで袖１０３ｒ，１０３ｌの筒径を広げながら、身頃１０５と同時に編成する（ステージＲ２）。なお着用した状態で右に現れるのが右袖１０３ｒで、これは図面では左に示される。脇下部１０８で身頃１０５と袖１０３ｒ，１０３ｌを接続し、これらを１つの大きな筒状体とする（ステージＲ３）。ここで身頃１０５の脇下１０８の点Ｑ０と点Ｑ１を結ぶ線（線Ｑ０−Ｑ１）と袖の点Ｑ６と点Ｑ７を結ぶ線（線Ｑ６−Ｑ７）を接合してアームホール１１７の脇下近傍部分を形成する。これは編糸を袖１０３と身頃１０５の編目を係止する各針に周回状に給糸して身頃の編成コース数：袖の編成コース数の比を１：１で編成する毎に袖１０３ｒ，１０３ｌを身頃１０５側に寄せることで行われる。これにより身幅は肩幅まで減少する。
アームホール１１７の脇下部を形成した後、身頃１０５の線Ｑ１−Ｑ２と袖１０３の線Ｑ７−Ｑ８を、身頃：袖の編成コース数の比を２：１の比率で編成する毎に袖１０３ｒ，１０３ｌの編目を身頃側へ寄せて身頃１０５の編目と重ねることで接合し、その筒径を徐々に減少させながら編成する（ステージＲ４）。この身頃と袖の編成コース数の比率は、袖の編成コース数の比率が高くなれば袖山が高くなり、逆に身頃の編成比率が高くなれば袖山が低くなる。Ｔスリーブの場合では、袖のコース編成は行われない。この編成の間にネックライン１１３も形成される。ステージＲ５では、袖１０３の編目コースの形成を終了し、身頃１０５のみのコース編成を行う。所定コースの身頃１０５の編目コースを形成する毎に、針に保持された状態にある袖を身頃１０５側へ寄せて重ねることでアームホール１１７の身頃の線Ｑ２−Ｑ３と袖の線Ｑ８−Ｑ９を結合する。しかる後に、肩において前身頃１０５ｆと後身頃１０５ｂとを結合して伏目処理することでセーター１０１の編成を終了する。
衣類を製作する際にはシルエットだけでなく、人の体の凹凸や体の動きを想定して設計することが重要である。身頃に袖が接合される上記セーター１０１の場合には、腕を上方に伸ばした時と、腕を下に下ろした時のそれぞれにおいて腕の動きが制限されないように設計する必要がある。伸縮性に乏しい布帛製品では、袖と身頃の接合箇所に別途生地を縫いつけマチを形成することで腕の動きに合わせて脇下部が引っ張られ破断したり、逆に腕の動きが衣服により制限されないようにしている。
一方ニットウエアは布帛に比べ伸縮性に富むことから、布帛製品のマチに相当する部分を設けた製品は少ないけれどもニットの伸縮性だけでは不十分である。本発明は横編機を用いてニットウエアをシームレスに編成する場合の身頃と袖の接合編成において、ニットウエアにマチを形成する方法およびマチが形成されてなるニットウエアを開示することを目的とする。
発明の開示
上記した問題を解決するため、本発明のマチの形成方法は、左右方向に延び、かつ前後方向に対向する前後一対の針ベッドを有し、前記一対の針ベッドはそれぞれ多数の針を持ち、さらに前記一対の針ベッドは対向部に歯口を形成し、かつ前記針ベッドの少なくとも一方が左右にラッキング可能で、前記針ベッド間で編目の目移しが可能な横編機を用いて編成される身頃と袖とが接合されたニットウエアにマチを形成する方法であって、
左右の袖と身頃を並置した状態で袖の袖口部および身頃の裾から脇下までをそれぞれ筒状に編成する工程に続いて、前記袖と身頃とを接続した一つの大きな筒状体を描くように袖と身頃の編目を係止する針に周回状に給糸して編目コースを形成しながら袖と身頃を接合しつつ、脇下から肩に向かって筒状体の径を減少させてアームホールを形成する過程において脇下部にマチを形成する方法が以下の工程：
ａ）  身頃：袖の編成コース数の比を２：１、または身頃：袖の編成コース数の比を２：１より身頃の編成比率を高くして編成するとともに、身頃の編幅をアームホール下端から肩部に向かって徐々に狭め、身頃の側端のループと袖の側端ループを重ねて接合する工程と、
ｂ）  前記工程ａに続けて、身頃：袖の編成コース数の比を１：１または身頃：袖の編成コース数の比を１：１より袖の編成比率を高く編成する工程
を含むことを特徴とする。
上記した発明の構成によれば、左右の袖と身頃が横編機上の異なる領域で並置した状態で、袖が袖口から身頃が裾から袖と身頃の接合を行う脇下まで筒状の編地として編成される。袖と身頃の接合を開始する脇下までの編成が完了すると、隣接する袖と身頃に対し袖と身頃が接続された一つの筒状体を描くように周回状に給糸して袖と身頃を接合しつつアームホールを形成する。アームホールを形成する過程で、身頃：袖の編成コース数が２：１または身頃：袖の編成コース数の比を２：１より身頃の編成比率を高くして編成しつつ身頃の側端のループと袖の側端ループを重ねて接合する。脇下部における接合が完了すると、続けて身頃：袖の編成コース数の比を１：１または身頃：袖の編成コース数の比を１：１より袖の編成比率を高く編成しつつ袖を身頃側に移動させて袖と身頃を接合しアームホールを形成する。上記編成を含む編成を行って袖と身頃を接合することによりアームホールの下部に位置する脇下部と袖の上部が異なる接合角度で身頃に接合される。脇下部と袖の上部が異なる接合角度で身頃に接合されることで袖が撓んでマチが形成される。
また、左右方向に延び、かつ前後方向に対向する前後一対の針ベッドを有し、前記一対の針ベッドはそれぞれ多数の針を持ち、さらに前記一対の針ベッドは対向部に歯口を形成し、かつ前記針ベッドの少なくとも一方が左右にラッキング可能で、前記針ベッド間で編目の目移しが可能な横編機を用いて編成される身頃と袖とが接合されたニットウエアにマチを形成する方法であって、
左右の袖と身頃を並置した状態で袖の袖口部および身頃の裾から脇下までをそれぞれ筒状に編成する工程に続いて、前記袖と身頃とを接続した一つの大きな筒状体を描くように袖と身頃の編目を係止する針に周回状に給糸して編目コースを形成しながら袖と身頃を接合しつつ、脇下から肩に向かって筒状体の径を減少させてアームホールを形成する過程において脇下部にマチを形成する方法が以下の工程：
ａ）  脇下近傍部において、身頃部の編幅を徐々に狭めるとともに、身頃：袖の編成コース数の比を２：１、または身頃：袖の編成コース数の比を２：１より身頃の編成比率を高く編成しつつ袖を身頃側に移動させて接合しマチを形成する工程、
ｂ）  前記工程ａに続いて身頃：袖の編成コース数を１：１の編成比率で形成する編成と並行して、袖の両端部に位置する適宜数のループを内側に移動させ隣接するループと重ねて重ね目とし、該重ね目を含め次コースのループを形成する編成を繰り返す工程、
を含むことも特徴の一つである。
上記した発明の構成によれば、左右の袖と身頃が横編機上の異なる領域で並置した状態で、袖が袖口から身頃が裾から袖と身頃の接合を行う脇下まで筒状の編地として編成される。袖と身頃の接合を開始する脇下までの編成が完了すると、隣接する袖と身頃に対し袖と身頃が接続された一つの筒状体を描くように周回状に給糸して袖と身頃を接合しつつアームホールを形成する。アームホールを形成する過程で、身頃：袖の編成コース数が２：１または身頃：袖の編成コース数の比を２：１より身頃の編成比率を高くして編成しつつ身頃の側端のループと袖の側端ループを重ねて接合する。脇下部における接合が完了すると、続けて身頃：袖の編成コース数の比を１：１または身頃：袖の編成コース数の比を１：１より袖の編成比率を高く編成しつつ袖の両端部に位置する適宜数のループを内側に移動させ、隣接するループと重ねる編成を繰り返し行い筒径を狭めてゆく。上記編成を含む編成を行って袖と身頃を接合することによりアームホールの下部に位置する脇下部と袖の上部が異なる接合角度で身頃に接合される。脇下部と袖の上部が異なる接合角度で身頃に接合されることで編地が撓んでマチが形成される。
本発明のマチが形成されてなるニットウエアは、それぞれが筒状に編成される身頃と袖とがアームホールで接合されてなるニットウエアであって、アームホール下部の脇下部において、身頃：袖の編成コース数の比が２：１、または身頃：袖の編成コース数の比が２：１より身頃の編成比率が高く編成されるとともに、身頃の編幅がアームホール下端から肩部側に向かって徐々に編幅が減少され、身頃の側端のループと袖の側端ループが重ねられて接合されてなる領域と、脇下部に続けて形成され、身頃：袖の編成コース数の比が１：１または身頃：袖の編成コース数の比が１：１より袖の編成比率が高く編成されてなる領域がアームホール内に形成されていることを特徴とする。
また、本発明のマチが形成されてなるニットウエアは、それぞれが筒状に編成される身頃と袖とがアームホールで接合されてなるニットウエアであって、アームホール下部の脇下部において、身頃：袖の編成コース数の比が２：１、または身頃：袖の編成コース数の比が２：１より身頃の編成比率が高く編成されるとともに、身頃の編幅がアームホール下端から肩部側に向かって徐々に編幅が減少され、身頃の側端のループと袖の側端ループが重ねられて接合されてなる領域と、脇下部に続けて形成され、身頃：袖の編成コース数の比を１：１の編成比率で形成されるとともに、袖の両端部に位置する適宜数のループを内側に移動されて隣接するループと重ねられ、該重ね目を含め次コースのループが形成される工程が繰り返されてなる領域がアームホール内に形成されていることも特徴の一つである。
発明を実施するための最良の形態
本発明の実施例を、以下図面とともに詳細に説明する。本実施例では二枚ベッド横編機で編成を行うものとする。横編機は左右方向に延び、且つ前後方向に互いに対向する少なくとも前後一対の針ベッドを有し、前記一対の針ベッドはそれぞれ多数の針を持ち、さらに前記一対の針ベッドは対向部に歯口を形成し、かつ前記針ベッドの少なくとも一方が左右ラッキング可能で、前記針ベッド間で目移しが可能な所謂汎用タイプの編機が使用できる。
＜第一実施例＞
第１図は第一実施例において横編機によって編まれたセットインスリーブの半袖セーター１を示す。第２−Ａ図は横編機で上記セーター１をシームレスに編成する場合の工程を模式的し、第２−Ｂ図は第２−Ａ図のステージＳ３における糸回しを示す。第３図は第２図の各ステージＳ１〜Ｓ５における針ベッド上方から見た給糸や編地の移動を示し、第４図は第一実施例により実際に編まれたセーターの右脇下部を示す画像である。
セーター１は前身頃２ｆと後身頃２ｂからなる身頃２の編成が裾３から開始されて身頃２が筒状に編成される（ステージＳ１）。続いて身頃２を左右袖４，５との接合が開始される脇下部６，７に至る間に左右の袖４，５が袖口４ａ，５ａから編成が開始され、袖４，５はその筒径を広げながら脇下まで身頃２と同時進行で編成される（ステージＳ２）。
続いて脇下で身頃２と袖４，５の接合が開始され、これ以降これらを一つの大きな筒状体として給糸して身頃２と袖４，５を編成する都度、袖４，５を身頃２側に寄せて編目同士が重ねられ、重ね目に次コースのループが形成されることで身頃２の編幅が徐々に狭められながら身頃２に左右の袖４，５が接合される（ステージＳ３）。身頃２及び左右の袖４，５への給糸は第２−Ｂ図のパターンＡとパターンＢを交互に実施することで行われる。第２−Ｂ図において一点鎖線の上方に示されるのが後身頃・後袖で行われる編成であり、下方が前身頃・前袖で行われる編成である。線Ｒ・Ｌは身頃２と左右の袖４，５の境界を示し、線Ｒと線Ｌ間が身頃、線Ｒより左側が右袖４、線Ｌより左側が左袖５である。パターンＡとパターンＢの編成が交互に行われることで、身頃：袖の編成コース数の比は８：４つまり２：１となる。
上記ステージＳ３の編成が完了すると、同じ給糸口で左右の袖４，５及び身頃２に対し大きな筒状体を描くように給糸され、袖４，５および身頃２がそれぞれ１コース編成される毎に袖４，５が身頃２側に移動されて、身頃：袖の編成コース数の比が１：１の割合で接合される（ステージＳ４）。続いて袖４，５の編成が停止され、前身頃２ｆおよび後身頃２ｂの編成にそれぞれ別の給糸口が使用され、前後身頃２ｆ，２ｂがそれぞれ１コース編成される毎に袖４，５が身頃２側に移動されて袖４，５の最終コースのループが身頃２の側端のループに重ねられて袖４，５と身頃２が接合される（ステージＳ５）。上記編成に続いて左右の肩部１１ａ，１１ｂで前身頃２ｆと後身頃２ｂが接合されるとともに公知の伏目処理編成により解れ止め処理された後、衿首用開口８が形成されてセーター１が編成される。
上記編成により編成されたセーター１は、ステージ３で形成された脇下部（脇下部とは製品完成時に腕の下側となる部分を指し、身頃に対する袖付け角度と袖の形状等によりその位置および幅は異なる）で、身頃：袖の編成コース数の比が２：１であるのに対し、ステージ４で形成された袖の上部は編成コース数の比が１：１となる。第４図は上記方法により編成された実際のセーターの一方の脇部分の画像を示す。アームホール部で袖の上部が浅い袖付け角度となるウエール方向（第４図中の矢印Ｖ）で身頃に接合され、袖４，５の脇下部が身頃２に対し深い袖付け角度となるウエール方向（第４図中の矢印Ｗ）で接合される。このように袖４，５の上部と脇下部でウエールの方向が異なることにより、脇下部で編地が撓みマチ９，１０が形成される。マチ９，１０が形成されることで腕の動きが制限されない着心地の良いニットウエアとなる。脇下部に形成されるマチの長さは袖の形状やゲージにより異なるが、一例として１２ゲージの横編機で編成されたセーターではマチの長さが前身頃で５ｃｍ、後身頃で５ｃｍであり、マチが形成される間に編成された身頃の編成コース数は４０コースであった。
なお、上記実施例では脇下部において、身頃：袖の編成コース数を２：１としたが、身頃：袖の編成コース数を２：１かまたは２：１より身頃の編成コース数の比率を高くすればよく例えば３：１としてもよい。
＜第二実施例＞
次に第二実施例を説明する。第二実施例では第５図に示す袖のウエール方向が身頃のウエール方向と同方向となる新規なデザインのセーター２１を編成する。第６図は横編機でセーター２１をシームレスに編成する場合の工程を模式的に示す図であり、第７図は第６図の各ステージＳ１〜Ｓ４における針ベッド上方から見た給糸や編地の移動を示し、第８図は第二実施例により実際に編まれたセーター２１の右脇下部を示す画像である。
第二実施例では、身頃２２の裾２５から編成が開始され脇下部に向かって前身頃２２ｆと後身頃２２ｂが筒状に編成される（ステージＳ１）。身頃２２を脇まで編成する間に左右の袖２３，２４の編成が開始され、袖２３，２４と身頃２２が並行して編成される（ステージＳ２）。袖２３，２４と身頃２２の編成が脇下部まで完了した後、同じ給糸口を左右の袖２３，２４と身頃２２に対し大きな一つの筒状体を描くように給糸され、前記第一実施例の第２−Ｂ図のパターンＡとパターンＢの編成が繰り返される毎に左右の袖２３，２４がそれぞれ身頃２２側に移動される。これにより袖２３，２４のループが身頃２２のループに重ねられて次コースのループが形成される編成が繰り返されて袖２３，２４と身頃２２が接合される（ステージＳ３）。ステージ４以降、袖２３，２４は身頃２２と一体となり、第２−Ｂ図のパターンＢの編成を繰り返して編成される。前後両ベッドに環状に給糸して筒状に編成しつつ、袖２３，２４の左右両端に位置する適宜数のループを内側に移動させ、その内側に位置するループと重ねて重ね目を形成し、該重ね目を含め身頃２２の全域に給糸して次コースのループが形成される減らし編成が行われる（ステージＳ４）。上記ステージＳ４の編成が繰り返し行われ、セーター２１に滑らかな傾斜の肩部２６ａ，２６ｂが形成された後、衿首用開口２７が前身頃２２ｆに形成されてセーター２１が完成する。
第二実施例により編成されたセーターでは、袖２３，２４の脇下部が深い袖付け角度となるウエール方向（第８図中の矢印Ｘ）で身頃２２に接合される。そして袖２３，２４と身頃２２の接合が完了した後は、身頃：袖の編成コース数の比が１：１で編成され脇下部のウエール方向に比べ浅い袖付け角度となるウエール方向（第８図中の矢印Ｙ）で形成される。このように、袖の脇下部と袖が身頃と一体化された後に形成される部分でウエールの方向が異なるため、脇下部で編地が撓みマチ２８，２９が形成される。マチ２８，２９が形成されることで、袖口が下を向いた状態で袖２３，２４と身頃２２を接合しても腕の動きが制限されることのない着心地のよいニットウエアとなる。また、袖２３，２４と身頃２２を接合後、袖２３，２４の両端部で減らし編成を行うことで、袖２３，２４から肩部に至る肩ライン２６ａ，２６ｂが出っ張らず、袖から肩へと滑らかな傾斜を描く理想的な肩ラインが形成される。第二実施例により編成されるセーター２１は図５に示すように袖２３，２４のウエールが身頃２２と同じ方向で形成され、袖２３，２４が下向きに形成される。従来の編成方法によりこのような袖が下向きに形成されたセーターを編成した場合には、マチが不足し着用時に腕を上方に伸ばした時に体の動きが著しく制限されるという問題があった。それに対し第二実施例のセーター２１ではマチ２８，２９が形成されているので袖２３，２４を下向きに形成しても問題が発生しない。
なお、上記第一実施例および第二実施例において、いずれも半袖のセーターを編成する場合を説明したが、長袖のセーターにも実施可能である。また、セーターに限らず例えばポロシャツやカーディガン等の他のニットウエアにも実施できる。また、上記実施例では二枚ベッド横編機を使用したが、前後一対の下部針ベッド上に上部ベッドを備えた四枚ベッド横編機でも実施可能である。また、上記実施例ではセーターの場合を説明したが、例えば、セーターの左右両袖に代えてタイツの左右の脚部を股部が形成される領域を挟んで先に筒状に編成した後、腰部以降の編成において股部で編み出し編成を行ってクロッチ部を形成する編成を行えばタイツにマチを形成することができる。
産業上の利用可能性
以上のように、本発明によればセーター等のニットウエアの身頃と袖の接合部に横編機上の編成工程の間にマチが形成できるので後の縫製工程を省略ないし簡略化することができる。
【図面の簡単な説明】
第１図は第一実施例により形成されるセーター１を示す図である。第２−Ａ図は横編機でセーター１をシームレスに編成する場合の工程を示す図であり、第２−Ｂ図は第２−Ａ図のステージＳ３における糸回しを示す図である。第３図は第２−Ａ図のステージＳ１〜Ｓ５における編成を示す図である。第４図はセーター１の右脇下部を示す図である。第５図は第二実施例により形成されるセーター２１を示す図である。第６図は横編機でセーター２１をシームレスに編成する場合の工程を示す図である。第７図は第６図のステージＳ１〜Ｓ５における編成を示す図である。第８図はセーター２１の右脇下部を示す図である。第９図は従来の方法により編成されるセーター１０１を示す図である。第１０図は従来の方法により接合されるセーター１０１の身頃と袖のパターンを示す図である。第１１−Ａ図は従来方法によりセーター１０１を編成する工程を示す図であり、第１１−Ｂ図は第１１−Ａ図のステージＲ１〜Ｒ５における編成を示す図である。
【図１】
2003031707.tif 000003
【図２】
2003031707.tif 000004
【図３】
2003031707.tif 000005
【図４】
2003031707.tif 000006
【図５】
2003031707.tif 000007
【図６】
2003031707.tif 000008
【図７】
2003031707.tif 000009
【図８】
2003031707.tif 000010
【図９】
2003031707.tif 000011
【図１０】
2003031707.tif 000012
【図１１】
2003031707.tif 000013
【国際調査報告】
2003031707.tif 000014
2003031707.tif 000015
2003031707.tif 000016
2003031707.tif 000017